(57)【要約】【課題】  使用環境にふさわしい声質や口調の案内放送などを実現することができる音声コンテンツの提供方法およびシステムを提供すること。【解決手段】  音声提供サービス装置において依頼主装置から依頼主が必要としている音声コンテンツに対応する文章データをＷｅｂ等の通信回線経由で受付けるステップと、受付けた文章データを発声させる声優を前記音声提供サービス装置の声優テーブルに予め登録されている声優の中から選択し、選択した声優の端末装置に対し発声対象の文章データを送信するステップと、声優の端末装置から当該声優が発声した前記文章データに対応する音声コンテンツを前記音声提供サービス装置において受信するステップと、音声提供サービス装置において声優の端末装置から受信した声優の音声コンテンツを依頼元の依頼主装置に送信するステップとを備えることを特徴とする。【選択図】      図１
2005077873.tif 000002
【特許請求の範囲】
【請求項１】
依頼主から依頼された文章を声優に発声させた音声コンテンツをインターネット等の通信回線経由で依頼主に提供する音声コンテンツの提供方法であって、
音声提供サービス装置において依頼主装置から依頼主が必要としている音声コンテンツに対応する文章データをインターネット等の通信回線経由で受付ける第１のステップと、
受付けた文章データを発声させる声優を前記音声提供サービス装置の声優テーブルに予め登録されている声優の中から選択し、選択した声優の端末装置に対し発声対象の文章データをインターネット等の通信回線経由で送信する第２のステップと、
声優の端末装置から当該声優が発声した前記文章データに対応する音声コンテンツを前記音声提供サービス装置においてインターネット等の通信回線経由で受信する第３のステップと、
前記音声提供サービス装置において声優の端末装置から受信した声優の音声コンテンツを依頼元の依頼主装置にインターネット等の通信回線経由で送信する第４のステップとを備えることを特徴とする音声コンテンツの提供方法。
【請求項２】
前記第２のステップにおいて、依頼主装置から受信した声優の固有名詞、性別、声質、言語などの指定情報に基づいて文章データを発声させる声優を前記声優テーブルに予め登録されている声優の中から選択することを特徴とする請求項１に記載の音声コンテンツの提供方法。
【請求項３】
前記第２のステップにおいて、依頼主装置から受信した依頼主の業種、音声コンテンツの用途、使用環境の情報に基づいて文章データを発声させる声優を前記声優テーブルに予め登録されている声優の中から選択することを特徴とする請求項１に記載の音声コンテンツの提供方法。
【請求項４】
声優の音声コンテンツを依頼元の依頼主装置に送信した後、依頼元に対し音声コンテンツの利用料金を課金する第５のステップをさらに備えることを特徴とする請求項１〜３のいずれか一項に記載の音声コンテンツの提供方法。
【請求項５】
依頼主から依頼された文章を声優に発声させた音声コンテンツをインターネット等の通信回線経由で依頼主に提供する音声コンテンツの提供方法であって、
音声提供サービス装置において依頼主装置から依頼主が必要としている音声コンテンツに対応する文章データをインターネット等の通信回線経由で受付ける第１のステップと、
受付けた文章データを発声させる声優を前記音声提供サービス装置の声優テーブルに予め登録されている声優の中から選択し、選択した１乃至複数の声優の端末装置に対し発声対象の文章データをインターネット等の通信回線経由で送信する第２のステップと、
１乃至複数の声優の端末装置から当該声優が発声した前記文章データに対応する音声コンテンツを前記音声提供サービス装置においてインターネット等の通信回線経由で受信する第３のステップと、
前記音声提供サービス装置において１乃至複数の声優の端末装置から受信した声優の音声コンテンツを１組にして依頼元の依頼主装置にインターネット等の通信回線経由で送信する第４のステップと、
依頼主装置において受信した１乃至複数の声優の音声コンテンツを試聴用に発音させる第５のステップと、
発音された試聴用の１乃至複数の音声コンテンツの中から依頼主が選択した声優の音声コンテンツの選択情報を依頼主装置から前記音声提供サービス装置にインターネット等の通信回線経由で送信する第６のステップと、
音声提供サービス装置において依頼主が選択した声優の音声コンテンツの選択情報に基づき、選択された声優の端末装置に対し前記文章データの発声録音依頼をインターネット等の通信回線経由で送信する第７のステップと、
発声録音依頼を受けた声優が発声録音した前記文章データの録音音声コンテンツを当該声優の前記端末装置または他の装置から前記音声提供サービス装置にインターネット等の通信回線経由で送信する第８のステップと、
音声提供サービス装置において受信した声優の前記録音音声コンテンツを依頼元の依頼主装置にインターネット等の通信回線経由で送信する第９のステップと
を備えることを特徴とする音声コンテンツの提供方法。
【請求項６】
前記第２のステップにおいて、依頼主装置から受信した声優の固有名詞、性別、声質、言語などの指定情報に基づいて文章データを発声させる声優を前記声優テーブルに予め登録されている声優の中から選択することを特徴とする請求項５に記載の音声コンテンツの提供方法。
【請求項７】
前記第２のステップにおいて、依頼主装置から受信した依頼主の業種、音声コンテンツの用途、使用環境の情報に基づいて文章データを発声させる声優を前記声優テーブルに予め登録されている声優の中から選択することを特徴とする請求項５に記載の音声コンテンツの提供方法。
【請求項８】
前記第２〜第４のステップおよび第７、第８のステップにおいて、声優の端末装置として携帯電話機機を使用して文章データの受信、試聴用の音声コンテンツの送信、録音音声コンテンツの送信を行うことを特徴とする請求項５〜７のいずれか一項に記載の音声コンテンツの提供方法。
【請求項９】
声優の録音音声コンテンツを依頼元の依頼主装置に送信した後、依頼元に対し録音音声コンテンツの利用料金を課金する第１０のステップをさらに備えることを特徴とする請求項５〜８のいずれか一項に記載の音声コンテンツの提供方法。
【請求項１０】
依頼主が使用する依頼主装置と、声優が使用する端末装置と、音声コンテンツの提供サービスを行う音声提供サービス装置とから成り、依頼主から依頼された文章を声優に発声させた音声コンテンツをインターネット等の通信回線経由で依頼主に提供する音声コンテンツの提供システムであって、
音声提供サービス装置が、
前記依頼主装置から依頼主が必要としている音声コンテンツに対応する文章データをインターネット等の通信回線経由で受付ける第１の手段と、受付けた文章データを発声させる声優を声優テーブルに予め登録されている声優の中から選択し、選択した声優の端末装置に対し発声対象の文章データをインターネット等の通信回線経由で送信する第２の手段と、声優の端末装置から当該声優が発声した前記文章データに対応する音声コンテンツをインターネット等の通信回線経由で受信する第３の手段と、声優の端末装置から受信した声優の音声コンテンツを依頼元の依頼主装置にインターネット等の通信回線経由で送信する第４の手段とを備え、
前記依頼主装置が、依頼主から文章データを受付け、前記音声提供サービス装置にインターネット等の通信回線経由で送信する第５の手段と、前記音声提供サービス装置から前記文章データの音声コンテンツをインターネット等の通信回線経由で受信する第６の手段とを備え、
前記声優の端末装置が、前記音声提供サービス装置から文章データをインターネット等の通信回線経由で受信する第７の手段と、受信した文章データを当該声優が発声した音声コンテンツを受付け、前記音声提供サービス装置にインターネット等の通信回線経由で送信する第８の手段とを備える
ことを特徴とする音声コンテンツの提供システム。
【請求項１１】
前記依頼主装置が、文章データを発音させる声優の固有名詞、性別、声質、言語などの指定情報を送信する手段をさらに備え、
前記音声提供サービス装置の前記第２の手段は、依頼主装置から受信した声優の固有名詞、性別、声質、言語などの前記指定情報に基づいて文章データを発声させる声優を前記声優テーブルに予め登録されている声優の中から選択することを特徴とする請求項１０に記載の音声コンテンツの提供システム。
【請求項１２】
前記依頼主装置が、依頼主の業種、音声コンテンツの用途、使用環境の情報を送信する手段をさらに備え、
前記音声提供サービス装置の前記第２の手段は、依頼主装置から受信した依頼主の業種、音声コンテンツの用途、使用環境の情報に基づいて文章データを発声させる声優を前記声優テーブルに予め登録されている声優の中から選択することを特徴とする請求項１０に記載の音声コンテンツの提供システム。
【請求項１３】
前記音声提供サービス装置が、声優の音声コンテンツを依頼元の依頼主装置に送信した後、依頼元に対し音声コンテンツの利用料金を課金する課金手段をさらに備えることを特徴とする請求項１０〜１２のいずれか一項に記載の音声コンテンツの提供システム。
【請求項１４】
依頼主が使用する依頼主装置と、声優が使用する端末装置と、音声コンテンツの提供サービスを行う音声提供サービス装置とから成り、依頼主から依頼された文章を声優に発声させた音声コンテンツを依頼主にインターネット等の通信回線経由で提供する音声コンテンツの提供システムであって、
音声提供サービス装置が、
依頼主装置から依頼主が必要としている音声コンテンツに対応する文章データをインターネット等の通信回線経由で受付ける第１の手段と、受付けた文章データを発声させる声優を声優テーブルに予め登録されている声優の中から選択し、選択した１乃至複数の声優の端末装置に対し発声対象の文章データをインターネット等の通信回線経由で送信する第２の手段と、１乃至複数の声優の端末装置から当該声優が発声した前記文章データの音声コンテンツをインターネット等の通信回線経由で受信する第３の手段と、１乃至複数の声優の端末装置から受信した声優の試聴用の音声コンテンツを１組にして依頼元の依頼主装置にインターネット等の通信回線経由で送信する第４の手段と、依頼主が選択した声優の視聴用の音声コンテンツの選択情報に基づき、選択された声優の端末装置に対し前記文章データの発声録音依頼をインターネット等の通信回線経由で送信する第５の手段と、録音依頼した声優の端末装置または他の装置から前記文章データの録音音声コンテンツをインターネット等の通信回線経由で受信し、依頼元の依頼主装置にインターネット等の通信回線経由で送信する第６の手段とを備え、
前記依頼主装置が、依頼主から文章データを受付け、前記音声提供サービス装置にＷｅｂ等の通信回線経由で送信する第７の手段と、前記音声提供サービス装置から前記文章データに対応する音声コンテンツをインターネット等の通信回線経由で受信する第８の手段と、受信した１乃至複数の声優の音声コンテンツを試聴用に発音させる第９の手段と、発音された試聴用の１乃至複数の音声コンテンツの中から依頼主が選択した声優の音声コンテンツの選択情報を前記音声提供サービス装置にインターネット等の通信回線経由で送信する第１０の手段とを備え、
前記声優の端末装置が、前記音声提供サービス装置から文章データをインターネット等の通信回線経由で受信する第１１の手段と、受信した文章データを当該声優が発声した音声コンテンツを受付け、試聴用の音声コンテンツとして前記音声提供サービス装置にインターネット等の通信回線経由で送信する第１２の手段と、前記音声提供サービス装置から前記文章データの発声録音依頼を受信し、前記文章データの録音音声コンテンツを前記音声提供サービス装置にインターネット等の通信回線経由で送信する第１３の手段とを備えることを特徴とする音声コンテンツの提供システム。
【請求項１５】
前記音声提供サービス装置が、声優の録音音声コンテンツを依頼元の依頼主装置に送信した後、依頼元に対し録音音声コンテンツの利用料金を課金する課金手段をさらに備えることを特徴とする請求項１４に記載の音声コンテンツの提供システム。
【発明の詳細な説明】
【技術分野】
【０００１】
本発明は、依頼主から依頼された文章を声優に発声させた音声コンテンツをＷｅｂ等の通信回線経由で依頼主に提供する音声コンテンツの提供方法およびシステムに係り、例えばデパートや各種イベント会場における案内放送などに用いて好適な音声コンテンツの提供方法およびシステムに関するものである。
【背景技術】
【０００２】
従来、音声データの販売を行う方法として、例えば特開２００２−３５８０９２公報および特開２００２−５５６８６公報に記載のものが知られている。
特開２００２−３５８０９２公報に記載の技術は、任意の脚本データに自分の好きな俳優や声優の合成音声を配し、脚本データの朗読を提供するものである。
また、特開２００２−５５６８６公報に記載の技術は、キャラクタの声を表情や行動態様に合わせて一定の品質でユーザに提供するものである。
【特許文献１】特開２００２−３５８０９２公報
【特許文献２】特開２００２−５５６８６公報
【発明の開示】
【発明が解決しようとする課題】
【０００３】
ところで、デパート等の店内放送では、通常、専門の係員が各種の案内放送を行うようにしているが、係員が不在の場合、デパートの店内放送にふさわしい口調で案内放送をできなくなる。
そこで、前記の従来技術に記載された方法を適用し、案内放送を行うことが考えられる。
しかし、特開２００２−３５８０９２公報および特開２００２−５５６８６公報に記載された技術では、予め案内放送用の音声データまたは音素データを記憶させておく必要があるため、迷子の案内放送などのように臨時の案内放送を行うことができないという問題がある。
また、音声データまたは音素データを合成してユーザから要求された音声データを作成するものであるため、自然な発音に聞こえず、違和感がある。特に、例えばデパートの案内放送と遊園地の案内放送とでは口調が異なっているが、合成音では使用環境にふさわしい口調の案内放送を実現するのが難しいという問題がある。また、デパートの案内放送であっても、ＡデパートとＢデパートでは案内放送の口調に微妙な相違があり、合成音ではそれぞれのデパートの個性に適した声質や口調の案内放送を実現するのが難しいという問題がある。
【０００４】
本発明の目的は、使用環境にふさわしい声質や口調の案内放送などを実現することができる音声コンテンツの提供方法およびシステムを提供することにある。
【課題を解決するための手段】
【０００５】
上記目的を達成するため、本発明に係る音声コンテンツの提供方法は、依頼主から依頼された文章を声優に発声させた音声コンテンツをインターネット等の通信回線経由で依頼主に提供する音声コンテンツの提供方法であって、
音声提供サービス装置において依頼主装置から依頼主が必要としている音声コンテンツに対応する文章データをインターネット等の通信回線経由で受付ける第１のステップと、受付けた文章データを発声させる声優を前記音声提供サービス装置の声優テーブルに予め登録されている声優の中から選択し、選択した声優の端末装置に対し発声対象の文章データをインターネット等の通信回線経由で送信する第２のステップと、声優の端末装置から当該声優が発声した前記文章データに対応する音声コンテンツを前記音声提供サービス装置においてインターネット等の通信回線経由で受信する第３のステップと、前記音声提供サービス装置において声優の端末装置から受信した声優の音声コンテンツを依頼元の依頼主装置にインターネット等の通信回線経由で送信する第４のステップとを備えることを特徴とする。
また、前記第２のステップにおいて、依頼主装置から受信した声優の固有名詞、性別、声質、言語などの指定情報に基づいて文章データを発声させる声優を前記声優テーブルに予め登録されている声優の中から選択することを特徴とする。
また、前記第２のステップにおいて、依頼主装置から受信した依頼主の業種、音声コンテンツの用途、使用環境の情報に基づいて文章データを発声させる声優を前記声優テーブルに予め登録されている声優の中から選択することを特徴とする。
また、声優の音声コンテンツを依頼元の依頼主装置に送信した後、依頼元に対し音声コンテンツの利用料金を課金する第５のステップをさらに備えることを特徴とする。
【０００６】
また、依頼主から依頼された文章を声優に発声させた音声コンテンツをインターネット等の通信回線経由で依頼主に提供する音声コンテンツの提供方法であって、
音声提供サービス装置において依頼主装置から依頼主が必要としている音声コンテンツに対応する文章データをインターネット等の通信回線経由で受付ける第１のステップと、受付けた文章データを発声させる声優を前記音声提供サービス装置の声優テーブルに予め登録されている声優の中から選択し、選択した１乃至複数の声優の端末装置に対し発声対象の文章データをインターネット等の通信回線経由で送信する第２のステップと、１乃至複数の声優の端末装置から当該声優が発声した前記文章データに対応する音声コンテンツを前記音声提供サービス装置においてインターネット等の通信回線経由で受信する第３のステップと、前記音声提供サービス装置において１乃至複数の声優の端末装置から受信した声優の音声コンテンツを１組にして依頼元の依頼主装置にインターネット等の通信回線経由で送信する第４のステップと、依頼主装置において受信した１乃至複数の声優の音声コンテンツを試聴用に発音させる第５のステップと、発音された試聴用の１乃至複数の音声コンテンツの中から依頼主が選択した声優の音声コンテンツの選択情報を依頼主装置から前記音声提供サービス装置にインターネット等の通信回線経由で送信する第６のステップと、音声提供サービス装置において依頼主が選択した声優の音声コンテンツの選択情報に基づき、選択された声優の端末装置に対し前記文章データの発声録音依頼をインターネット等の通信回線経由で送信する第７のステップと、発声録音依頼を受けた声優が発声録音した前記文章データの録音音声コンテンツを当該声優の前記端末装置または他の装置から前記音声提供サービス装置にインターネット等の通信回線経由で送信する第８のステップと、音声提供サービス装置において受信した声優の前記録音音声コンテンツを依頼元の依頼主装置にインターネット等の通信回線経由で送信する第９のステップとを備えることを特徴とする。
また、前記第２のステップにおいて、依頼主装置から受信した声優の固有名詞、性別、声質、言語などの指定情報に基づいて文章データを発声させる声優を前記声優テーブルに予め登録されている声優の中から選択することを特徴とする。
また、前記第２のステップにおいて、依頼主装置から受信した依頼主の業種、音声コンテンツの用途、使用環境の情報に基づいて文章データを発声させる声優を前記声優テーブルに予め登録されている声優の中から選択することを特徴とする。
また、前記第２〜第４のステップおよび第７、第８のステップにおいて、声優の端末装置として携帯電話機機を使用して文章データの受信、視聴用の音声コンテンツの送信、録音音声コンテンツの送信を行うことを特徴とする。
また、声優の録音音声コンテンツを依頼元の依頼主装置に送信した後、依頼元に対し録音音声コンテンツの利用料金を課金する第１０のステップをさらに備えることを特徴とする。
【０００７】
本発明に係る音声コンテンツの提供システムは、依頼主が使用する依頼主装置と、声優が使用する端末装置と、音声コンテンツの提供サービスを行う音声提供サービス装置とから成り、依頼主から依頼された文章を声優に発声させた音声コンテンツをインターネット等の通信回線経由で依頼主に提供する音声コンテンツの提供システムであって、
音声提供サービス装置が、
前記依頼主装置から依頼主が必要としている音声コンテンツに対応する文章データをインターネット等の通信回線経由で受付ける第１の手段と、受付けた文章データを発声させる声優を声優テーブルに予め登録されている声優の中から選択し、選択した声優の端末装置に対し発声対象の文章データをインターネット等の通信回線経由で送信する第２の手段と、声優の端末装置から当該声優が発声した前記文章データに対応する音声コンテンツをインターネット等の通信回線経由で受信する第３の手段と、声優の端末装置から受信した声優の音声コンテンツを依頼元の依頼主装置にインターネット等の通信回線経由で送信する第４の手段とを備え、
前記依頼主装置が、依頼主から文章データを受付け、前記音声提供サービス装置にインターネット等の通信回線経由で送信する第５の手段と、前記音声提供サービス装置から前記文章データの音声コンテンツをインターネット等の通信回線経由で受信する第６の手段とを備え、
前記声優の端末装置が、前記音声提供サービス装置から文章データをインターネット等の通信回線経由で受信する第７の手段と、受信した文章データを当該声優が発声した音声コンテンツを受付け、前記音声提供サービス装置にインターネット等の通信回線経由で送信する第８の手段とを備えることを特徴とする。
また、前記依頼主装置が、文章データを発音させる声優の固有名詞、性別、声質、言語などの指定情報を送信する手段をさらに備え、
前記音声提供サービス装置の前記第２の手段は、依頼主装置から受信した声優の固有名詞、性別、声質、言語などの前記指定情報に基づいて文章データを発声させる声優を前記声優テーブルに予め登録されている声優の中から選択することを特徴とする。
また、前記依頼主装置が、依頼主の業種、音声コンテンツの用途、使用環境の情報を送信する手段をさらに備え、
前記音声提供サービス装置の前記第２の手段は、依頼主装置から受信した依頼主の業種、音声コンテンツの用途、使用環境の情報に基づいて文章データを発声させる声優を前記声優テーブルに予め登録されている声優の中から選択することを特徴とする。
また、前記音声提供サービス装置が、声優の音声コンテンツを依頼元の依頼主装置に送信した後、依頼元に対し音声コンテンツの利用料金を課金する課金手段をさらに備えることを特徴とする。
【０００８】
また、依頼主が使用する依頼主装置と、声優が使用する端末装置と、音声コンテンツの提供サービスを行う音声提供サービス装置とから成り、依頼主から依頼された文章を声優に発声させた音声コンテンツを依頼主にインターネット等の通信回線経由で提供する音声コンテンツの提供システムであって、
音声提供サービス装置が、
依頼主装置から依頼主が必要としている音声コンテンツに対応する文章データをインターネット等の通信回線経由で受付ける第１の手段と、受付けた文章データを発声させる声優を声優テーブルに予め登録されている声優の中から選択し、選択した１乃至複数の声優の端末装置に対し発声対象の文章データをインターネット等の通信回線経由で送信する第２の手段と、１乃至複数の声優の端末装置から当該声優が発声した前記文章データに対応する音声コンテンツをインターネット等の通信回線経由で受信する第３の手段と、１乃至複数の声優の端末装置から受信した声優の試聴用の音声コンテンツを１組にして依頼元の依頼主装置にインターネット等の通信回線経由で送信する第４の手段と、依頼主が選択した声優の視聴用の音声コンテンツの選択情報に基づき、選択された声優の端末装置に対し前記文章データの発声録音依頼をインターネット等の通信回線経由で送信する第５の手段と、録音依頼した声優の端末装置または他の装置から前記文章データの録音音声コンテンツをインターネット等の通信回線経由で受信し、依頼元の依頼主装置にインターネット等の通信回線経由で送信する第６の手段とを備え、
前記依頼主装置が、依頼主から文章データを受付け、前記音声提供サービス装置にインターネット等の通信回線経由で送信する第７の手段と、前記音声提供サービス装置から前記文章データに対応する音声コンテンツをインターネット等の通信回線経由で受信する第８の手段と、受信した１乃至複数の声優の音声コンテンツを試聴用に発音させる第９の手段と、発音された試聴用の１乃至複数の音声コンテンツの中から依頼主が選択した声優の音声コンテンツの選択情報を前記音声提供サービス装置にインターネット等の通信回線経由で送信する第１０の手段とを備え、
前記声優の端末装置が、前記音声提供サービス装置から文章データをインターネット等の通信回線経由で受信する第１１の手段と、受信した文章データを当該声優が発声した音声コンテンツを受付け、試聴用の音声コンテンツとして前記音声提供サービス装置にインターネット等の通信回線経由で送信する第１２の手段と、前記音声提供サービス装置から前記文章データの発声録音依頼を受信し、前記文章データの録音音声コンテンツを前記音声提供サービス装置にインターネット等の通信回線経由で送信する第１３の手段とを備えることを特徴とする。
また、前記音声提供サービス装置が、声優の録音音声コンテンツを依頼元の依頼主装置に送信した後、依頼元に対し録音音声コンテンツの利用料金を課金する課金手段をさらに備えることを特徴とする。
【発明の効果】
【０００９】
本発明によれば、予め音声データを登録しておく必要がないため、迷子案内などの臨時の案内放送を容易に実現することができる。
また、自然な発音で、使用環境にふさわしい声質や口調の案内放送などを実現することができる。
【発明を実施するための最良の形態】
【００１０】
以下、本発明を実施する場合の一形態を図面を参照して具体的に説明する。
図１は、本発明の音声コンテンツの提供システムの基本構成を示すシステム構成図である。
ここで図示するシステムでは、音声提供サーバ装置を管理する事業主体１がインターネット等の通信回線でユーザ（依頼主）３の情報端末３ａから声優の指定情報、文章データを受付ける。事業主体１の音声提供サーバ装置は、受付情報を基に声優を選択し、その選択した声優２の端末装置（例えば携帯電話機やパーソナルコンピュータ）に対し、文章データの発声依頼を送信する。発声依頼を受けた声優２は文章データを読み上げる形式で発声し、事業主体１の音声提供サーバ装置に送信する。この場合、文章データは声優が所有する携帯電話機の送話器から入力し、録音せずに事業主体１の音声提供サーバ装置に送信するようにしてもよいし、録音スタジオ等の適切な環境で録音させ、携帯電話機のデータ通信機能を用いて送信させる、あるいは録音した音声コンテンツを声優が使用するパーソナルコンピュータなどから送信させる形態を採用することができる。
また、テレビコマーシャル等の映像に合わせて複数の声優を用いる場合、音声を加える映像および文章データと共にユーザの情報端末３ａから事業主体１の音声提供サーバ装置に送信させる。そして、複数の声優の端末装置に対し、それぞれの声優の発声部分を指定して映像および文章データを送信し、映像の進行に合せて文章データを発声させる。そして、その発声した音声コンテンツを事業主体１の音声提供サーバ装置に返信させる。音声提供サーバ装置では、それぞれの声優から受信した音声コンテンツをユーザ３の情報端末３ａに返信する。
ユーザ３の情報端末３ａに音声コンテンツを送信した後または送信に先立ち、決済会社４により利用料金の精算を行う。ユーザ３では受信した音声コンテンツを用いて案内放送などを行う。
【００１１】
図２は、本発明の一実施形態を示すシステム構成図である。
図１に示すシステムは、音声コンテンツの購入依頼主が使用するクライアントコンピュータ１１、１２、１３、および声優が録音するために使用するクライアントコンピュータ１４，１５と、声優が試聴用の音声を発声するための携帯電話機１６，１７とを備え、さらにインターネット１９を介してクライアントコンピュータ１１〜１３から受信した音声配信依頼情報をサーバ装置１８にて声優別に振り分け、クライアントコンピュータ１４〜１５または携帯電話機１６，１７を用いて発声させ、音声コンテンツを作成させる。作成した音声コンテンツは、再びインターネット１９を介してサーバ装置１８に返信させる。音声コンテンツを受け取ったサーバ装置１８はインターネット１９を介し依頼元のクライアントコンピュータ１１〜１３へ音声コンテンツを送信する。音声コンテンツを受け取ったクライアントコンピュータ１１〜１３は、音声コンテンツを取り出し、案内放送などに使用する。
【００１２】
サーバ装置１８の構成について、図３と図４を参照して説明する。
サーバ装置１８は、例えば通常のパーソナルコンピュータと同様な構成を有するものであり、依頼主のクライアントコンピュータ１１〜１３から送信された文章データ、声優が発声した音声コンテンツを受信する受信部３０１と、声優の選択を行う声優選択部３０２と、サーバ装置１８により音声コンテンツの提供サービスを受けることができるユーザの情報を登録したユーザ情報データベース３０３と、声優の固有名刺や声質、特徴などの情報を蓄える声優情報データベース３０４と、依頼元から受付けた文章データなどの依頼情報を蓄える受付情報データベース３０５と、試聴用の音声を携帯電話機から受信して記録する試聴用録音部３０６と、試聴用音声をＷｅｂに登録する試聴画面アップロード部３０７と、声優へ音声録音用文章や映像のデータを送信したり、試聴用音声コンテンツをユーザへ送信する送信部３０８と、声優へ音声録音の依頼を行う音声録音依頼部３０９と、音声コンテンツや文章データを蓄える登録音声情報データベース３１０と、声優の録音した音声コンテンツを配信用のコンテンツとして受け取る配信データ受付部３１１と、音声コンテンツを送付する配信データ送付部３１２と、課金処理を行う課金処理部３１３と、課金結果を蓄える料金情報データベース３１４と、決済を外部の決済会社に委託する決済処理部３１５からなる。
【００１３】
図４はサーバ装置１８の詳細構成を示すブロック構成図であり、キーボード４０１、マウス４０２、携帯電話機に録音機能がない場合に使用する録音装置４０３、回線接続部４０４、ＣＰＵ４０５、図３の各種のデータベース群を保持する外部記憶装置４０６、表示装置４０７、記憶装置４０８を備えている。記憶装置４０８内には、図２の声優選択部３０２と、試聴用録音部３０６と、音声録音依頼部３０９と、配信データ受付部３１１と、配信データ送付部３１２と、課金処理部３１３と、決済処理部３１５に相当するプログラムが格納されている。
【００１４】
次に、依頼者のクライアントコンピュータ１１〜１３の構成について、図５と図６を参照して説明する。
図５は依頼者のクライアントコンピュータ１１〜１３の構成を示すブロック構成図であり、例えば通常のパーソナルコンピュータと同様な構成有するものである。その内部には、利用者管理を行うログイン部５０１と、音声として利用する言語を選択する言語選択部５０２と、音声として購入する文章を入力する文章入力部５０３と、文章を読む声優を選択する声優選択部５０４と、音声コンテンツの依頼、または音声録音の依頼を送信する送信部５０５と、試聴用音声コンテンツまたは録音音声コンテンツを受信する受信部５０６と、声優を選択する場合に試聴するための試聴部５０７と録音依頼送信部５０８と、サーバ装置１８から受信した配信データ（音声コンテンツ）を保存する音声受信保存部５０９と、受信した音声コンテンツを放送する放送設備５１０からなる。
【００１５】
図６は、依頼者のクライアントコンピュータ１１〜１３の詳細構成を示すブロック構成図であり、キーボード６０１と、マウス６０２と、回線接続部６０３と、図５の放送設備５１０と接続する入出力部６０４と、ＣＰＵ６０５と、外部記憶装置６０６と、表示装置６０７と、記憶装置６０８を備えている。記憶装置６０８内には、図５のログイン部５０１と、言語選択部５０２と、文章入力部５０３と、声優選択部５０４と、送信部５０５と、試聴部５０７と、録音依頼送信部５０８、音声受信保存部５０９に相当するプログラムが格納されている。
【００１６】
次に、声優が使用するクライアントコンピュータ１４，１５の構成について、図７と図８を参照して説明する。
図７は、クライアントコンピュータ１４，１５の構成を示すブロック図であり、例えば通常のパーソナルコンピュータと同様な構成を有するものである。その内部には録音依頼を受信する受信部７０１と文章や映像にあわせ録音を行う録音部７０２と、音声を配信用の音声コンテンツに変換する配信データ作成部７０４と、配信データを送信する送信部７０５と、録音のため外部から音声の入力を行う録音機器７０３からなる。
声優が使用する携帯電話機１６，１７は、インターネット接続機能を備えた汎用の携帯電話機を使用することができる。
【００１７】
図８はクライアントコンピュータ１４、１５の詳細構成を示すブロック図であり、キーボード８０１と、マウス８０２と、回線接続部８０３と、録音機器７０３との入出力を行う入出力部８０４と、ＣＰＵ８０５と、録音した音声を蓄える外部記憶装置８０６と、表示装置８０７と、記憶装置８０８からなる。記憶装置８０８内には、図７の受信部７０１と、録音部７０２と、配信データ作成部７０４と送信部７０５に相当するプログラムが格納されている。
【００１８】
次に、音声コンテンツの提供方法の一連の手順について、図９を参照して説明する。
図９は音声コンテンツを依頼主に提供する一連の手順を示すフローチャートである。
ステップＳ１において、依頼主であるユーザは自身が所有するクライアントコンピュータ１１にログインする。次に、ステップＳ２においてユーザは使用する言語（声優に発声させる言語）を選択する。次に、ステップＳ３において声優を選択し、さらにステップＳ４において声優に発声させる音声の文章データを入力する。
次に、ステップＳ５、Ｓ６において、ステップＳ２，Ｓ３で選択した言語、声優の指定情報とステップＳ４で入力した文章データを発声依頼データとしてサーバ装置１８にインターネット１９経由で送信する。
サーバ装置１８は、ステップＳ７において発声依頼データを受信する。そして、ステップＳ８において発声依頼データを基に発声依頼データ中の声優および言語の指定情報に基づき、文章データを発声させる声優を決定する。
なお、声優は声優情報データベース２４の声優情報テーブル（後述）に予め登録されており、この登録された声優の中から選択する。
選択の方法は、（１）ユーザから受信した声優の固有名詞、性別、声質、言語などの指定情報に基づいて声優情報テーブル内に登録されている声優を選択する、（２）ユーザから受信したユーザの業種、音声コンテンツの用途、使用環境の情報に基づき、声優情報テーブル内に登録されている声優を選択する方法がある。
この場合、ユーザが特定の１人の声優のみを指定しない限り、複数人の声優を選択する。但し、条件に該当する声優が１人しか登録されていない場合は、この限りでない。本発明では、上記（１）、（２）のいずれか、または両方を適宜に組合わせて声優を選択する。
なお、声優登録テーブルに声優を登録する場合、事業主体１は登録料を徴収する。
【００１９】
声優を選択したならば、次に、ステップＳ９において声優の携帯電話機１６，１７に連絡し、当該声優に発声させる文章データをインターネット１９を経由して送信し、その文章データを発声させる。発声された音声コンテンツは携帯電話機１６，１７の基地局およびインターネット１９を介してサーバ装置１８で受信される。
サーバ装置１８では、回線接続部４４により受信した音声コンテンツを試聴用録音部３０６に渡し、外部記憶装置４０６内の登録音声情報データベース３１０内の試聴用音声データテーブル（図２９参照）に記録する。
【００２０】
次に、ステップＳ１０において試聴用画面に試聴用の音声コンテンツをアップロードする。
ステップＳ１１においてユーザは、サーバ装置１８のＷｅｂページにアクセスし、試聴用の音声コンテンツを選択し、ダウンロードする。ダウンロードするコンテンツは複数の声優の試聴用コンテンツを選択順に１つにまとめたものである。
なお、サーバ装置１８のＷｅｂページからダウンロードする代わりに、メール形式で依頼元のユーザに送信するようにしてもよい。
【００２１】
続いて、サーバ装置１８から送信された音声コンテンツは依頼元ユーザのクライアントコンピュータ１１内の試聴部５０７により、再生される。
ステップＳ１２においてユーザは再生された試聴用の音声を試聴する。そして、ステップＳ１３、Ｓ１４において、試聴した声優の中で気に入った声優を選択し、その声優に対する録音依頼のデータをインターネット１９経由でサーバ装置１８に送信する。
録音依頼データを受信したサーバ装置１８は、ステップＳ１５，Ｓ１６において、ユーザが選択した声優のクライアントコンピュータ１４，１５に対し、録音依頼を音声またはメール形式で送信する。なお、携帯電話機１６，１７が録音機能を備え、かつ案内放送などで要求される音質を確保できるものであれば、携帯電話機１６、１７に録音依頼を送信するようにすることができる。
【００２２】
ステップＳ１７において、声優のクライアントコンピュータ１４，１５は録音依頼を受信する。録音依頼を受けた声優は、ステップＳ１８において、自身が使用するクライアントコンピュータ１４，１５に付属した録音機器７０３を用いて録音依頼された文章データを発声する。発声された文章データの音声コンテンツは録音部７０２により外部記憶装置８０６に記録（録音）される。
この場合、録音機器７０３の代わりに、専用の録音スタジオで録音した音声コンテンツを録音部７０２により外部記憶装置８０６内に記録するようにしてもよい。テレビコマーシャルなどの高品質の音声が要求される場合には、録音スタジオで録音したものを用いるのが望ましい。
【００２３】
ステップＳ１９において、配信データ作成部７０４により、録音が終了した音声コンテンツの配信データを作成し、ステップＳ２０、Ｓ２１において配信データを送信部７０５からサーバ装置１８に送信する。
ステップＳ２２において、サーバ装置１８は声優のクライアントコンピュータ１４、１５から配信データを受信する。
サーバ装置１８は、ステップＳ２３において配信データを受信部３０１で受信し、ステップＳ２３において配信データ受付部３１１により登録音声情報データベース３１０に記録する。続く、ステップＳ２４において依頼元のユーザに対する課金処理を行う。課金処理はクレジットカードによる決済であり、外部の決済会社により決済を行う。このとき決済会社により声優に報酬が支払われる。
サーバ装置１８は、ステップＳ２５において配信データ、すなわち依頼元のユーザが依頼した文章データをユーザが選択した声優に発声させた録音音声コンテンツをインターネット１９経由で依頼元のクライアントコンピュータ１１へ送信する。
【００２４】
依頼元のクライアントコンピュータ１１は、ステップＳ２６において録音音声コンテンツを受信し、ステップＳ２７において音声受信保存部５０９により外部記憶装置６０６に保存する。
依頼元のクライアントコンピュータ１１は、ステップＳ２８において保存した音声コンテンツを放送設備５１０に渡し、案内放送として出力させる。
【００２５】
次に、サーバ装置１８の外部記憶装置４６に保持されている各種のデータベースについて図１０〜図１４を用いて説明する。
図１０は、ユーザ情報データベース３０３内のユーザ情報テーブルの構成例を示す図である。ユーザ情報テーブルには、音声配信サービスを利用可能なユーザのユーザＩＤ、パスワード、個人情報（氏名、住所、電話番号、業務種別または音声コンテンツの用途や使用環境等）が登録されており、音声コンテンツの配信サービスを受ける場合には、このユーザ情報テーブルの登録情報に基づき、配信サービスが提供可能であるかのユーザ認証を実施する。このユーザ認証は、例えば図９のステップＳ７で行う。
個人情報の中の業務種別または音声コンテンツの用途や使用環境としては、例えば、デパート、イベント運営、遊園地、携帯電話機用音声コンテンツ作成、コマーシャル作成などの業務内容、場内放送用、場外放送用などの用途、静寂、騒音大などの環境の情報が登録される。
【００２６】
図１１は、受付情報データベース３０５内に保持されている受付情報テーブルの構成例を示す図である。受付情報テーブルには、ユーザから依頼された情報として、受付日、ユーザＩＤ、声優、文章データが登録され、また、依頼元に配信した音声コンテンツの識別情報（音声１２など）とその利用金額が登録されるようになっている。
文章データは、依頼元のユーザから受信した文章データが登録される。声優の情報は、依頼元のユーザから受信した発声依頼データの中に、声優を指定する情報が含まれていた場合には、指定された条件を満たす声優を後述の声優情報テーブルから検索し、その検索結果の声優の固有名詞または識別情報が１〜複数人分登録される。
声優を選択する方法は、（１）ユーザから受信した声優の固有名詞、性別、声質、言語などの指定情報に基づいて声優情報テーブル内に登録されている声優を選択する、（２）ユーザ情報テーブル３０３に登録されているユーザの業種、音声コンテンツの用途、使用環境の情報に基づき、声優情報テーブル内に登録されている声優を選択する方法がある。
この場合、ユーザが特定の１人の声優のみを指定しない限り、複数人の声優を選択する。但し、条件に該当する声優が１人しか登録されていない場合は、この限りでない。本発明では、上記（１）、（２）のいずれか、または両方を適宜に組合わせて声優を選択する。
発声依頼データの中に、声優の指定情報が含まれていなかった場合には、（２）の方法により、適切な声優を選択する。
【００２７】
図１２は、声優情報データベース３０４内に保持される声優情報テーブルの構成例を示す図である。声優情報テーブルには、文章データの発声を依頼する声優について、声優の識別情報、名前、性別、年齢、個人情報（本名、住所、電話番号、メールアドレス、言語、声質、声の特徴等）が登録されている。
言語は、それぞれの声優が発声可能な言語を示すものであり、例えば日本語の他に英語、ドイツ語が発声できる場合には、日本語、英語、ドイツ語といった言語種別の情報が登録される。声質には、例えば透明感がある、さわやかな感じ、優しい温和な感じ、迫力がある、などの情報が登録される。声の特徴には、デパート向け、イベント会場向け、コマーシャル向けなどの情報が登録される。
【００２８】
図１３は、登録音声情報データベース３１０内の登録音声情報テーブルの構成例を示す図である。登録音声情報テーブルには、ユーザに配信した音声コンテンツおよび声優の識別情報、文章データが登録されている。なお、配信済みの音声コンテンツを再利用する要求があった場合、サーバ装置１８は、登録音声情報テーブルの登録情報の一覧を依頼元に配信し、試聴させ、その中から再利用する音声コンテンツを提供することができる。なお、図示していないが、それぞれの音声コンテンツには、試聴用か否かを示すフラグが設定されている。
【００２９】
図１４は、料金情報データベース３１４内に保持されている料金情報テーブルの構成例を示す図である。料金情報テーブルには、それぞれのユーザが購入した音声コンテンツについて、ユーザＩＤ、声優、音声、文章データの識別情報及び金額が登録されるようになっている。
【００３０】
図１５は依頼主のユーザが使用するクライアントコンピュータ１１〜１３のログイン画面１５０１の例を示す図である。ログイン画面１５０１におけるユーザ操作の手順を、図１６を参照して説明する。図１６はログイン画面例におけるユーザ操作の一連の流れを示すフローチャートである。
ユーザは、自身が使用するクライアントコンピュータ１１〜１３において、ログイン操作を行い、図１５のログイン画面１５０１を表示装置６０７に表示させる。そして、ステップＳ１６０１においてログイン画面１５０１にユーザＩＤを入力し、続くステップＳ１６０２においてパスワードを入力する。入力後、ＯＫボタン１５０２を押下し、サーバ装置１８が提供する音声提供配信サービスにログインする。
【００３１】
図１７は、ユーザのクライアントコンピュータ１１〜１３における言語選択画面１７０１の例を示す図である。図１８は言語選択画面１７０１におけるユーザ操作の一連の流れを示すフローチャートである。
ユーザは、ステップＳ１８０１において、言語選択画面１７０１に表示された言語一覧から声優に発声させる音声の言語を選択し、続くステップＳ１８０２においてＯＫボタン１７０２を押して言語を決定する。
【００３２】
図１９は、ユーザのクライアントコンピュータ１１〜１３における声優選択画面１９０１の例を示す図である。図２０は声優選択画面１９０１におけるユーザ操作の一連の流れを示すフローチャートである。
ユーザは、ステップＳ２００１において、声優選択画面１９０１に表示された声優一覧から、氏名、年齢、性別、声質、特徴などの情報を参考にして声優を選択し、続くステップＳ２００２においてＯＫボタン１９０２を押下して声優を決定する。この声優選択画面１９０１では、複数の声優を同時に選択することができる。また、適切な声優が見当たらない場合には、声優を選択しないでＯＫボタン１９０２を押下する。その場合には、ユーザ情報テーブルに登録されているユーザの業種や音声コンテンツの用途などの情報によって適切な声優がサーバ装置１８で選択される。
なお、声優選択画面に表示される声優一覧は、図１２の声優情報テーブルに登録された情報を元にサーバ装置１８が作成し、ユーザ登録を行ったユーザのクライアントコンピュータ１１〜１３に配信したものである。
【００３３】
図２１は声優が使用する携帯電話機１６，１７に表示される試聴用録音画面２１０１の例を示す図である。図２２は試聴用録音画面２１０１における声優の操作手順を示すフローチャートである。
声優は、ステップＳ２２０１で携帯電話機１６、１７からサーバ装置１８の試聴用録音画面２１０１に接続し、ステップＳ２２０２で録音開始ボタン２１０２を押下し、続くステップＳ２２０３で携帯電話機１６、１７の送話器に文章データを発声音声を試聴用として入力し、サーバ装置１８に送信する。サーバ装置１８では受信した音声を視聴用の音声コンテンツとして図１３の登録音声情報テーブルに記録する。
【００３４】
図２３はユーザのクライアントコンピュータ１１〜１３に表示される試聴画面２３０１の例を示す図である。図２４は試聴画面２３０１におけるユーザ操作の流れを示すフローチャートである。
ユーザは、ステップＳ２４０１において試聴画面２３０１から試聴したい声優を選択し、続くステップＳ２４０２でＯＫボタン２３０２を押下して試聴する声優の音声コンテンツを決定する。
なお、試聴画面２３０１は、サーバ装置１８の試聴画面に接続することによってユーザのクライアントコンピュータ１１〜１３の表示装置６０７に表示される。
【００３５】
図２５は、音声コンテンツの試聴を終えたユーザが所望の声優に対する音声コンテンツの録音依頼を行う場合の録音依頼画面２５０１の例を示す図である。図２６は録音依頼を行う場合のユーザ操作の流れを示すフローチャートである。
ユーザは、ステップＳ２６０１において録音依頼画面２５０１のプルダウンメニュー２５０２に表示された複数の選択候補の声優の中から希望する声優を選択し、続くステップＳ２６０２において録音依頼する文章データを文章入力欄２５０３に入力する。入力後、ステップＳ２６０３においてＯＫボタン２５０４を押下して録音依頼を行う。
なお、試聴用に発声依頼を行う文章データと、案内放送等で実際に使用するために録音依頼を行う文章データとは同じであることが多いが、試聴用の文章データは声優を決定するための参考にするものであるため、録音依頼を行う文章データの一部分を省略したものにすることができる。
【００３６】
図２７は録音依頼を受けた声優のクライアントコンピュータ１４、１５における録音画面２７０１の例を示す図である。図２８は録音画面を使用した声優の操作手順を示すフローチャートである。
声優は、ステップＳ２８０１において自身が使用するクライアントコンピュータ装置１４の録音部７０２を起動し、図２７の録音画面２７０１を表示装置８０７に表示させる。
次に、ステップＳ２８０２において録音開始ボタン２７０２を押下し、次のステップＳ２８０３で録音機器７０３を使用して録音依頼を受けた文章データの録音を行う。
【００３７】
図２９は、登録音声情報データベース３１０の試聴用音声データテーブルの構成例を示す図である。試聴用音声データテーブルは、ユーザから依頼された試聴用の文章データに対する複数の声優の音声データを声優の選択順に１つにまとめたものであり、複数の試聴用音声コンテンツ２９０２，２９０４、２９０６の間には声優の名称が「音声１」などの音声識別情報２９０１，２９０３、２９０５を付して登録される。
この試聴用音声データテーブルは、ユーザからの発声依頼を受ける都度、発声依頼別に作成される。
【００３８】
なお、上記説明において、声優が使用するクライアントコンピュータ１４，１５を無線回線によってインターネット１９に接続可能なノート型パーソナルコンピュータなどで構成することにより、携帯電話機１６、１７を使用せずに試聴用音声コンテンツの送受信、案内放送等で実際に使用する録音音声コンテンツの送受信を行うことができる。要するに、インターネットに接続可能で、携帯可能な端末装置を用いて試聴用音声コンテンツの送受信、案内放送等で実際に使用する録音音声コンテンツの送受信を行うことができる。
【００３９】
以上のように上記説明した実施の形態によれば、依頼主が必要とする案内放送等の音声の文章データをサーバ装置で複数の声優の端末装置に配信し、配信先の声優に文章データを発生させ、その音声コンテンツをサーバ装置から依頼主の端末装置に配信するように構成したことにより、依頼主側では、臨時に必要になった案内放送などの音声を容易に取得し、使用することが可能になる。
また、依頼主側が期待している口調や声質の声優の音声で案内放送を行うことが可能になる。
【図面の簡単な説明】
【００４０】
【図１】本発明に係る音声コンテンツの提供方法の基本構成を示すシステム構成図である。
【図２】本発明の一実施の形態を示すシステム構成図である。
【図３】サーバ装置の構成を示すブロック図である。
【図４】サーバ装置の詳細構成を示すブロック図である。
【図５】依頼主のクライアントコンピュータの構成を示すブロック図である。
【図６】依頼主のクライアントコンピュータの詳細構成を示すブロック図である。
【図７】声優が使用するクライアントコンピュータの構成を示すブロック図である。
【図８】声優が使用するクライアントコンピュータの詳細構成を示すブロック図である。
【図９】音声コンテンツの提供方法の手順を示すフローチャートである。
【図１０】ユーザ情報テーブルの構成例を示す図である。
【図１１】受付情報テーブルの構成例を示す図である。
【図１２】登録音声情報テーブルの構成例を示す図である。
【図１３】声優情報テーブルの構成例を示す図である。
【図１４】料金情報テーブルの構成例を示す図である。
【図１５】ユーザのクライアントコンピュータにおけるログイン画面例を示す図である。
【図１６】ユーザのクライアントコンピュータにおけるログイン操作の手順を示すフローチャートである。
【図１７】ユーザのクライアントコンピュータにおける言語選択画面例を示す図である。
【図１８】ユーザのクライアントコンピュータにおける言語選択操作の手順を示すフローチャートである。
【図１９】ユーザのクライアントコンピュータにおける声優選択画面例を示す図である。
【図２０】ユーザのクライアントコンピュータにおける声優選択操作の手順を示すフローチャートである。
【図２１】声優が使用する携帯電話機における試聴用録音画面の例を示す図である。
【図２２】声優が使用する携帯電話機における試聴用録音操作の手順を示すフローチャートである。
【図２３】ユーザのクライアントコンピュータにおける試聴画面の画面例を示す図である。
【図２４】ユーザのクライアントコンピュータにおける試聴画面に対する操作手順を示すフローチャートである。
【図２５】ユーザのクライアントコンピュータにおける録音依頼画面の画面例を示す図である。
【図２６】ユーザのクライアントコンピュータにおける録音依頼画面の操作手順を示すフローチャートである。
【図２７】声優が使用するクライアントコンピュータおける録音画面の画面例を示す図である。
【図２８】声優が使用するクライアントコンピュータおけ録音画面の操作手順を示すフローチャートである。
【図２９】試聴用音声データテーブルの構成例を示す図である。
【符号の説明】
【００４１】
１    事業主体
２    声優
３    ユーザ
３ａ  情報端末
４    決済会社
１１、１２、１３    依頼者のクライアントコンピュータ
１４、１５          声優クライアントコンピュータ
１６、１７          声優の持つ携帯電話機
１８  サーバ装置
１９  インターネット
３０１  受信部
３０２  声優選択部
３０３  ユーザ情報データベース
３０４  声優情報データベース
３０５  受付情報データベース
３０６  試聴用録音部
３０８  送信部
３０９  音声録音依頼部
３１０  登録音声情報データベース
３１１  配信データ受付部
３１２  配信データ送付部
３１３  課金処理部
３１４  料金情報データベース
３１５  決済処理部
５０１  ログイン部
５０２  言語選択部
５０３  文章入力部
５０４  声優選択部
５０５  送信部
５０６  受信部
５０７  試聴部
５０８  録音依頼送信部
５０９  音声受信保存部
５１０  放送設備
【図１】
2005077873.tif 000003
【図２】
2005077873.tif 000004
【図３】
2005077873.tif 000005
【図４】
2005077873.tif 000006
【図５】
2005077873.tif 000007
【図６】
2005077873.tif 000008
【図７】
2005077873.tif 000009
【図８】
2005077873.tif 000010
【図９】
2005077873.tif 000011
【図１０】
2005077873.tif 000012
【図１１】
2005077873.tif 000013
【図１２】
2005077873.tif 000014
【図１３】
2005077873.tif 000015
【図１４】
2005077873.tif 000016
【図１５】
2005077873.tif 000017
【図１６】
2005077873.tif 000018
【図１７】
2005077873.tif 000019
【図１８】
2005077873.tif 000020
【図１９】
2005077873.tif 000021
【図２０】
2005077873.tif 000022
【図２１】
2005077873.tif 000023
【図２２】
2005077873.tif 000024
【図２３】
2005077873.tif 000025
【図２４】
2005077873.tif 000026
【図２５】
2005077873.tif 000027
【図２６】
2005077873.tif 000028
【図２７】
2005077873.tif 000029
【図２８】
2005077873.tif 000030
【図２９】
2005077873.tif 000031